(57)【要約】【課題】蓋をトレーとしても使用可能なトレー兼用蓋付収納ボックスを提供すること。【解決手段】ボックス体１と、このボックス体１の上部に装着する蓋体５とから成り、前記蓋体５は、この蓋体５を前記ボックス体１の上部に装着した際にボックス体１の側壁部４の上部に沿設して蓋体５のボックス体１に対する横ずれを防止する側面部６を外周部の全周に垂設した構成とし、この側面部６に把手部７を設けて、蓋体５をボックス体１から取り外して上下反転させて把手部７を把手すると、上下反転により上側に位置した蓋体５の裏面が物載面８となり、前記側面部６が前記物載面８に載置した載置物９の落下防止壁面６Ａとなるトレー５Ａとして使用し得るように構成する。【選択図】図２
0003132471.tif 000002
【実用新案登録請求の範囲】
【請求項１】
上部開口形のボックス体と、このボックス体の上部に上部開口部を閉塞するようにして装着する若しくは閉塞手段により上部開口部が閉塞されたボックス体の上部に装着する蓋体とから成り、前記蓋体は、この蓋体を前記ボックス体の上部に装着した際にボックス体の側壁部の上部に沿設して蓋体のボックス体に対する横ずれを防止する側面部を外周部の全周に垂設した構成とし、この側面部に把手部を設けて、蓋体をボックス体から取り外して上下反転させて把手部を把手すると、上下反転により上側に位置した蓋体の裏面が物載面となり、前記側面部が前記物載面に載置した載置物の落下防止壁面となるトレーとして使用し得るように構成したことを特徴とするトレー兼用蓋付収納ボックス。
【請求項２】
前記蓋体の前記側面部の対向位置に、前記把手部を設けたことを特徴とする請求項１記載のトレー兼用蓋付収納ボックス。
【請求項３】
前記側面部に折曲片部を切り出し形成し、この折曲片部を折曲することで側面部に形成される貫通孔部を前記把手部としたことを特徴とする請求項１，２のいずれか１項に記載のトレー兼用蓋付収納ボックス。
【請求項４】
前記蓋体は、ダンボール板を採用して構成すると共に、このダンボール板の外周部の全周を下方に直角に折曲してこの折曲部を前記側面部とし、この側面部の対向位置に折曲片部を切り出し形成し、この各折曲片部を折曲することで側面部に形成される貫通孔部を前記把手部としたことを特徴とする請求項１〜３のいずれか１項に記載のトレー兼用蓋付収納ボックス。
【請求項５】
前記ボックス体は、ダンボール箱を採用したことを特徴とする請求項１〜４のいずれか１項に記載のトレー兼用蓋付収納ボックス。
【考案の詳細な説明】
【技術分野】
【０００１】
本考案は、蓋をトレーとしても使用可能なトレー兼用蓋付収納ボックスに関するものである。
【背景技術】
【０００２】
従来から、ダンボール箱や樹脂製ケースなど、色々な収納ボックスが実施されている。
【考案の開示】
【考案が解決しようとする課題】
【０００３】
本考案は、この種の収納ボックスの実用性を更に追及したもので、蓋体を備えた収納ボックスのこの蓋体を、物を持ち運んだりするためのトレーとしても使用可能となる実用性に秀れた構成のトレー兼用蓋付収納ボックスを提案するものである。
【課題を解決するための手段】
【０００４】
添付図面を参照して本考案の要旨を説明する。
【０００５】
上部開口形のボックス体１と、このボックス体１の上部に上部開口部２を閉塞するようにして装着する若しくは閉塞手段３により上部開口部２が閉塞されたボックス体１の上部に装着する蓋体５とから成り、前記蓋体５は、この蓋体５を前記ボックス体１の上部に装着した際にボックス体１の側壁部４の上部に沿設して蓋体５のボックス体１に対する横ずれを防止する側面部６を外周部の全周に垂設した構成とし、この側面部６に把手部７を設けて、蓋体５をボックス体１から取り外して上下反転させて把手部７を把手すると、上下反転により上側に位置した蓋体５の裏面が物載面８となり、前記側面部６が前記物載面８に載置した載置物９の落下防止壁面６Ａとなるトレー５Ａとして使用し得るように構成したことを特徴とするトレー兼用蓋付収納ボックスに係るものである。
【０００６】
また、前記蓋体５の前記側面部６の対向位置に、前記把手部７を設けたことを特徴とする請求項１記載のトレー兼用蓋付収納ボックスに係るものである。
【０００７】
また、前記側面部６に折曲片部10を切り出し形成し、この折曲片部10を折曲することで側面部６に形成される貫通孔部を前記把手部７としたことを特徴とする請求項１，２のいずれか１項に記載のトレー兼用蓋付収納ボックスに係るものである。
【０００８】
また、前記蓋体５は、ダンボール板を採用して構成すると共に、このダンボール板の外周部の全周を下方に直角に折曲してこの折曲部を前記側面部６とし、この側面部６の対向位置に折曲片部10を切り出し形成し、この各折曲片部10を折曲することで側面部６に形成される貫通孔部を前記把手部７としたことを特徴とする請求項１〜３のいずれか１項に記載のトレー兼用蓋付収納ボックスに係るものである。
【０００９】
また、前記ボックス体１は、ダンボール箱を採用したことを特徴とする請求項１〜４のいずれか１項に記載のトレー兼用蓋付収納ボックスに係るものである。
【考案の効果】
【００１０】
本考案は上述のように構成したから、蓋体若しくは閉塞手段と蓋体とによりボックス体を閉塞状態にできると共に、この蓋体は、全周に垂設する側面部によりボックス体に対して横ずれしないため、ボックス体上部への装着状態が安定的に維持されることになり、しかも、この蓋体は、ボックス体から取り外して上下反転させて把手部を把手すると、上下反転により上側に位置した蓋体の裏面が物載面として機能し、前記側面部が前記物載面に載置した載置物の落下防止壁面として機能するトレーとして使用することができるため、例えば、本収納ボックスを非常食や懐中電灯などを収納しておく防災グッズ入れとしたり、花見やキャンプなどのレジャーに赴く際のレジャーグッズ入れとしたり、あるいは、ボックス体内に防災グッズやレジャーグッズなどを詰入した防災セットやレジャーセットとして販売・提供したりすることで、トレーが非常に役立つことになるなど、極めて実用性に秀れたトレー兼用蓋付収納ボックスとなる。
【００１１】
また、請求項２記載の考案においては、側面部の対向位置に把手部が存するために、蓋体兼用の簡易的なトレーでありながら、一般的なトレーと変わらない操作性を確保できる一層実用性に秀れた構成のトレー兼用蓋付収納ボックスとなる。
【００１２】
また、請求項３記載の考案においては、前記作用・効果を確実に発揮する把手部を簡易に設計実現可能となる一層実用性に秀れた構成のトレー兼用蓋付収納ボックスとなる。
【００１３】
また、請求項４記載の考案においては、側面部と把手部を有する本考案の蓋体を容易に且つコスト安に設計実現可能であると共に、側面部の対向位置に把手部が存するために、蓋体兼用の簡易的なトレーでありながら、一般的なトレーと変わらない操作性を確保できるなど、一層実用性に秀れた構成のトレー兼用蓋付収納ボックスとなる。
【００１４】
また、請求項５記載の考案においては、ボックス体を極めて容易に且つコスト安に設計実現可能な一層実用性に秀れた構成のトレー兼用蓋付収納ボックスとなる。
【考案を実施するための最良の形態】
【００１５】
好適と考える本考案の実施形態（考案をどのように実施するか）を、図面に基づいて本考案の作用を示して簡単に説明する。
【００１６】
ボックス体１に収納物11を収納することができ、このボックス体１の上部開口部２を蓋体５で閉塞するようにしてボックス体１の上部に蓋体５を装着するか、若しくは閉塞手段３により上部開口部２が閉塞されたボックス体１の上部に蓋体５を装着することで、ボックス体１を閉塞状態とすることができる。
【００１７】
この際、蓋体５は、外周部全周に垂設する側面部６が、ボックス体１の側壁部４の上部に沿設しているために、蓋体５がボックス体１に対して横ずれしようとしても、蓋体５の側面部６がボックス体１の側壁部４の上部に当接することで横ずれが阻止されることになり、よって、この蓋体５の閉塞状態が安定的に維持されることになる。
【００１８】
また、この蓋体５は、ボックス体１から取り外して上下反転させて把手部７を把手すると、上下反転により上側に位置した蓋体５の裏面が物載面８として機能し、前記側面部６が前記物載面８に載置した載置物９の落下防止壁面６Ａとして機能するトレー５Ａとして使用することができる。
【００１９】
従って、例えば、本収納ボックスを非常食や懐中電灯などを収納しておく防災グッズ入れとしておけば、これを災害時に携帯することで、蓋体５を配給品を受け取ったり配ったりする際のトレー５Ａとして使用したり、ボックス体１内に収納しておいた非常食などを食するときのトレー５Ａとして使用したりでき、更に、図３に示すようにトレー５Ａをボックス体１上部に載置して簡易的なテーブルとして使用したりすることもできるので、極めて実用的である。
【００２０】
また、例えば、本収納ボックスに花見用品やキャンプ用品などのレジャーグッズを収納して目的地へ持ち込めば、蓋体５を弁当や調理食材を運ぶためのトレー５Ａや食事時のトレー５Ａとして使用できるし、前記と同様にトレー５Ａをボックス体１上部に載置して簡易的なテーブルとして使用することもできる。
【００２１】
また、例えば、本収納ボックスに防災グッズやレジャーグッズを詰入したものを商品として提供することもでき、このような商品を提供することで、収納用品としてだけでなく、トレーとしても実用的に使用できる商品となる。
【００２２】
また、例えば、前記蓋体５の前記側面部６の対向位置に、前記把手部７を設ければ、対向位置に存する把手部７をユーザーが両手で把手できるので、蓋体５兼用の簡易的なトレー５Ａでありながら、通常のトレー５Ａと変わらない操作性を確保でき、一層実用的となる。
【００２３】
また、例えば、前記側面部６に折曲片部10を切り出し形成し、この折曲片部10を折曲することで側面部６に形成される貫通孔部を前記把手部７とすれば、前記作用・効果を確実に発揮する把手部７を簡易構造により容易に設計実現可能となる。
【００２４】
また、例えば、前記蓋体５は、ダンボール板を採用して構成すると共に、このダンボール板の外周部の全周を下方に直角に折曲してこの折曲部を前記側面部６とし、この側面部６の対向位置に折曲片部10を切り出し形成し、この各折曲片部10を折曲することで側面部６に形成される貫通孔部を前記把手部７とすれば、側面部６を有し把手部７を有する本考案の蓋体５をダンボール板によって容易に且つコスト安に設計実現可能であると共に、対向位置に存する把手部７をユーザーが両手で把手できるので、蓋体５兼用の簡易的なトレー５Ａでありながら、通常のトレー５Ａと変わらない操作性を確保できるなど、一層実用的となる。
【００２５】
また、例えば、前記ボックス体１は、ダンボール箱を採用すれば、本考案のボックス体１を極めて容易に且つコスト安に設計実現可能な構成となる。
【実施例】
【００２６】
本考案の具体的な実施例について図面に基づいて説明する。
【００２７】
本実施例は、収納物11を収納し得る上部開口形のボックス体１と、このボックス体１の上部に装着する蓋体５とから成る収納ボックスに係るものである。
【００２８】
本実施例のボックス体１は、図１，図２に示すような、平面視方形状のダンボール箱を採用している。
【００２９】
また、このボックス体１は、図２に示すように、閉塞手段３として上部開口部２の四辺に屈曲自在な蓋フラップ３Ａを連設した構成の既存のダンボール箱を採用し、この蓋フラップ３Ａで上部開口部２を閉塞することができる構成としている。
【００３０】
本実施例の蓋体５は、この上部開口部２を閉塞した閉塞手段３の上からボックス体１の上部に装着し得るように構成している。
【００３１】
具体的には、ボックス体１の平面視形状よりやや大きめな方形板状とすると共に、外周の各辺部の全周に側面部６が垂設する形状として、この蓋体５を前記ボックス体１の上部に上方から被嵌状態に装着し得るように構成し、この被嵌装着状態ではボックス体１の前後左右の各側壁部４の上部に側面部６が沿設して蓋体５のボックス体１に対する横ずれが防止される構成としている（図１参照。）。
【００３２】
更に具体的には、この蓋体５は、方形状のダンボール板を採用して構成すると共に、このダンボール板の外周部の全周を、即ち外周の各辺部を全て下方に直角に折曲してこの各折曲部を前記側面部６とし、更にこの側面部６は、垂下長を短めな寸法に設定してこの蓋体５を上下１８０度反転すると、全体として図２に示すような浅箱状（トレー状）をなす形状に形成している。
【００３３】
本実施例では、この蓋体５の側面部６の対向位置に把手部７を設けている。
【００３４】
具体的には、蓋体５の短方向の対向する側面部６の中程位置を転コ字状に切り出しすることで折曲片部10を形成し、この各折曲片部10を夫々の対向内側方向へ折曲することで側面部６に形成される貫通孔部を前記把手部７としている（図２，図３参照。）。
【００３５】
このように構成した本実施例の蓋体５は、ボックス体１から取り外して上下反転させ、側面部６の対向位置に存する折曲片部10を折曲した上で把手部７を両手で把手すると、上下反転により上側に位置した蓋体５の裏面が物載面８となり、前記側面部６が前記物載面８に載置した載置物９の落下防止壁面６Ａとなるトレー５Ａとして使用することができるように構成している（図２参照。）。
【００３６】
また、図３は、本実施例の他の使用状態を示したもので、蓋体５を上下反転させたトレー５Ａを前記各蓋フラップ３Ａ（閉塞手段３）を閉じたボックス体１の上部に載置して、トレー５Ａの物載面８が載置物９載置用の天面部となる簡易テーブルとした場合を示している。
【００３７】
尚、本考案は、本実施例に限られるものではなく、各構成要件の具体的構成は適宜設計し得るものである。
【図面の簡単な説明】
【００３８】
【図１】本実施例を示す斜視図である。
【図２】本実施例の蓋体をボックス体から取り外し、この蓋体を上下反転させてトレーにした状態を示す説明斜視図である。
【図３】本実施例のトレーをボックス体上部に載置することで、簡易テーブルとした使用状態を示す説明斜視図である。
【符号の説明】
【００３９】
１  ボックス体
２  上部開口部
３  閉塞手段
４  側壁部
５  蓋体
５Ａ  トレー
６  側面部
６Ａ  落下防止壁面
７  把手部
８  物載面
９  載置物
10  折曲片部
【図１】
0003132471.tif 000003
【図２】
0003132471.tif 000004
【図３】
0003132471.tif 000005
【手続補正書】
【提出日】平成19年4月9日(2007.4.9)
【手続補正１】
【補正対象書類名】図面
【補正対象項目名】図３
【補正方法】変更
【補正の内容】
【図３】
0003132471.tif 000006